(57)【要約】【課題】  コストアップを抑制しつつ高速処理を実現可能なＯＣＲ認識処理装置を提供する。【解決手段】  帳票のＯＣＲ認識処理を行うＯＣＲ認識処理装置１００において，帳票搬送路１３０に設けられ，帳票の特定箇所（ＯＣＲ認識処理対象）を読み取って画像データとするＣＣＤ１３１と，画像データを認識処理する複数の認識処理部１４１と，認識処理を終えた帳票の排出先となる複数の排出先ポケットと１７０とを備え，認識処理部は，画像データの特定箇所を認識処理して帳票の排出先を決定する排出先決定処理を，画像データの全部をＯＣＲ認識するＯＣＲ認識処理に先行して行うとともに，少なくとも１の認識処理部における排出先決定処理と，少なくとも１の認識処理部におけるＯＣＲ認識処理とを並行して処理する。ＯＣＲ認識処理対象が多い場合でも，その間に，次に処理する帳票の排出先を決定することができる。【選択図】  図１
2006113686.tif 000002
【特許請求の範囲】
【請求項１】
帳票のＯＣＲ認識処理を行うＯＣＲ認識処理装置において，
帳票の搬送路に設けられ，前記帳票の特定箇所を読み取って画像データとする読み取り部と，
前記画像データを認識処理する１または２以上の認識処理部と，
認識処理を終えた前記帳票の排出先となる複数の排出先ポケットと，
を備え，
前記認識処理部は，前記画像データの特定箇所を認識処理して前記帳票の排出先を決定する排出先決定処理を，前記画像データの全部をＯＣＲ認識するＯＣＲ認識処理に先行して行うことを特徴とする，ＯＣＲ認識処理装置。
【請求項２】
帳票のＯＣＲ認識処理を行うＯＣＲ認識処理装置において，
帳票の搬送路に設けられ，前記帳票の特定箇所を読み取って画像データとする読み取り部と，
前記画像データを認識処理する複数の認識処理部と，
認識処理を終えた前記帳票の排出先となる複数の排出先ポケットとと，
を備え，
前記認識処理部は，前記画像データの特定箇所を認識処理して前記帳票の排出先を決定する排出先決定処理を，前記画像データの全部をＯＣＲ認識するＯＣＲ認識処理に先行して行うとともに，
少なくとも１の前記認識処理部における前記排出先決定処理と，少なくとも１の前記認識処理部における前記ＯＣＲ認識処理とを並行して処理することを特徴とする，ＯＣＲ認識処理装置。
【請求項３】
前記認識処理部の数は，前記ＯＣＲ認識処理に要する時間÷前記排出先決定処理に要する時間＋１に基づいて決定されることを特徴とする，請求項２に記載のＯＣＲ認識処理装置。
【請求項４】
前記画像データを複数の領域に分割し，前記複数の認識処理部により，前記画像データを分割して処理することを特徴とする，請求項２または３に記載のＯＣＲ認識処理装置。
【請求項５】
前記搬送路の長さおよび搬送速度は，
前記帳票の排出先分岐点に前記帳票が到達するまでの時間＞前記排出先決定処理に要する時間を満たすものであることを特徴とする，請求項１〜４のいずれかに記載のＯＣＲ認識処理装置。
【請求項６】
前記帳票は，レセプトであることを特徴とする，請求項１〜５のいずれかに記載のＯＣＲ認識処理装置。
【発明の詳細な説明】
【技術分野】
【０００１】
本発明は，帳票の文字認識処理（Ｏｐｔｉｃａｌ  Ｃｈａｒａｃｔｅｒ  Ｒｅａｄｉｎｇ：ＯＣＲ）を行うＯＣＲ認識処理装置にかかり，特に，帳票の特定箇所（認識処理対象）を認識処理して帳票の排出先を決定する排出先決定処理に特徴を有するＯＣＲ認識処理装置に関する。
【背景技術】
【０００２】
従来のＯＣＲ認識処理装置について，レセプト処理装置を例に挙げて説明する。レセプト処理装置とは，診療報酬明細書（以下，「レセプト」と記す）を扱うＯＣＲ認識処理装置であり，レセプトを，例えば保険者ごとあるいは医療機関ごとに分類することができる装置である。
【０００３】
従来のレセプト処理装置として，特開２００４−１６４３８１号公報に開示されたものがある。同文献に開示されたレセプト処理装置について概説する。
【０００４】
スキャナのレセプト収容部には，多数のレセプトを収容することができる。これらのレセプトは，１枚ずつ，搬送路に繰り出されて搬送されスキャナ内部に送られる。レセプトにはレセプトの分類に関する情報が印字されている。また，搬送路には，レセプトからイメージを読み取る読取部が設けられている。搬送路上を搬送される際，読取部は，レセプトからイメージを読み取る。読み取られたイメージは，文字認識部に送られる。文字認識部は，かかるイメージの文字認識を行う。
【０００５】
イメージの読み取り処理を終えたレセプトは，ガイド機構によって，複数のポケットのいずれかに収容される。収容されるポケットは，文字認識部の文字認識結果に応じて決定される。レセプトがポケットに収容された後，次のレセプトの処理を行う。このようにして，レセプトを，保険者ごとあるいは医療機関ごとに分類することができる。
【０００６】
【特許文献１】特開２００４−１６４３８１号公報
【発明の開示】
【発明が解決しようとする課題】
【０００７】
上述のように従来のレセプト処理装置では，ＯＣＲ認識処理の結果によって帳票の排出先を切り替える構成を採用し，ＯＣＲ認識処理対象をすべて処理してから，排出先を決定していた。かかる構成では，ＯＣＲ認識処理対象が多い場合，処理時間が大きくなってしまうため，その処理が終わるまで排出先を決定することができなかった。このためＯＣＲ装置としての処理件数能力が著しく低くなっていた。または，高速なＯＣＲ認識処理装置を使わなければならず，コストアップの要因になっていた。
【０００８】
本発明は，従来のＯＣＲ認識処理装置が有する上記問題点に鑑みてなされたものであり，本発明の目的は，コストアップを抑制しつつ高速処理を実現可能な，新規かつ改良されたＯＣＲ認識処理装置を提供することである。
【課題を解決するための手段】
【０００９】
上記課題を解決するため，本発明によれば，帳票のＯＣＲ認識処理を行うＯＣＲ認識処理装置が提供される。本発明のＯＣＲ認識処理装置は，帳票の搬送路に設けられ，帳票の特定箇所（認識処理対象）を読み取って画像データとする読み取り部（１３１）と，画像データを認識処理する１または２以上の認識処理部（１４１）と，認識処理を終えた帳票の排出先となる複数の排出先ポケットと（１７０）と，を備え，認識処理部は，画像データの特定箇所を認識処理して帳票の排出先を決定する排出先決定処理を，画像データの全部をＯＣＲ認識するＯＣＲ認識処理に先行して行うことを特徴とする（請求項１）。
【００１０】
また，本発明の他のＯＣＲ認識処理装置は，帳票の搬送路に設けられ，帳票の特定箇所（認識処理対象）を読み取って画像データとする読み取り部（１３１）と，画像データを認識処理する複数の認識処理部（１４１）と，認識処理を終えた帳票の排出先となる複数の排出先ポケット（１７０）と，を備え，認識処理部は，画像データの特定箇所を認識処理して帳票の排出先を決定する排出先決定処理を，画像データの全部をＯＣＲ認識するＯＣＲ認識処理に先行して行うとともに，少なくとも１の認識処理部における排出先決定処理と，少なくとも１の認識処理部におけるＯＣＲ認識処理とを並行して処理することを特徴とする（請求項２）。
【００１１】
かかる構成によれば，ＯＣＲ認識処理対象が多い場合であっても，その間に，次に処理する帳票の排出先を決定することができる。このように，ＯＣＲ認識処理と排出先決定処理とを並行処理することにより，認識処理部の処理能力が低くても高速に処理することができる。このようにして，コストアップを抑制しつつ高速処理を実現可能なＯＣＲ認識処理装置を提供することができる。
【００１２】
認識処理部の数は，例えば，ＯＣＲ認識処理に要する時間÷排出先決定処理に要する時間＋１，に基づいて決定することが可能である（請求項３）。なお，この式の演算結果に整数未満の端数が出た場合には，整数に切り上げるものとする。
【００１３】
また，画像データを複数の領域に分割し，複数の認識処理部により，画像データを分割して処理するようにしてもよい（請求項４）。ＯＣＲ認識する範囲を各認識処理部で分割して処理するため，１つの認識処理部で処理する範囲が狭くなるため，各認識処理部は短い時間で処理を終わらせることができる。
【００１４】
搬送路の長さおよび搬送速度は，帳票の排出先分岐点に帳票が到達するまでの時間＞排出先決定処理に要する時間，を満たすものとして設定することが可能である（請求項５）。
【００１５】
以上説明した本発明において，帳票の一例は例えばレセプト（診療報酬明細書）であり，本発明にかかるＯＣＲ認識処理装置を，例えば，レセプトを保険者ごとあるいは医療機関ごとに分類することができるレセプト分類装置として利用することが可能である（請求項６）。
【００１６】
また，本発明の他の観点によれば，コンピュータを，上記ＯＣＲ認識処理装置の構成要素あるいは制御機構あるいは構成要素（例えば，認識処理部として機能させるためのプログラムと，そのプログラムを記録した，コンピュータにより読み取り可能な記録媒体が提供される。ここで，プログラムはいかなるプログラム言語により記述されていてもよい。また，記録媒体としては，例えば，ＣＤ−ＲＯＭ，ＤＶＤ−ＲＯＭ，フレキシブルディスクなど，プログラムを記録可能な記録媒体として現在一般に用いられている記録媒体，あるいは将来用いられるいかなる記録媒体をも採用することができる。
【００１７】
なお上記において，構成要素に付随して括弧書きで記した参照符号は，理解を容易にするため，後述の実施形態および図面における対応する構成要素および信号を一例として記したに過ぎず，本発明がこれに限定されるものではない。
【発明の効果】
【００１８】
以上のように，本発明によれば，ＯＣＲ認識処理対象が多い場合であっても，その間に，次に処理する帳票の排出先を決定することができる。このように，ＯＣＲ認識処理と排出先決定処理とを並行処理することにより，認識処理部の処理能力が低くても高速に処理することができる。このようにして，コストアップを抑制しつつ高速処理を実現可能なＯＣＲ認識処理装置を提供することができる。
【００１９】
また，画像データを複数の領域に分割し，複数の認識処理部により，画像データを分割して処理することにより，ＯＣＲ認識する範囲を各認識処理部で分割して処理するため，１つの認識処理部で処理する範囲が狭くなるため，各認識処理部は短い時間で処理を終わらせることができる。
【発明を実施するための最良の形態】
【００２０】
以下に添付図面を参照しながら，本発明にかかるＯＣＲ認識処理装置の好適な実施形態について詳細に説明する。なお，本明細書および図面において，実質的に同一の機能構成を有する構成要素については，同一の符号を付することにより重複説明を省略する。
【００２１】
（第１の実施形態）
図１は，本実施の形態にかかるＯＣＲ認識処理装置の説明図である。ＯＣＲ認識処理装置１００は，図１に示したように，帳票１１０のＯＣＲ認識処理を行う装置であり，ＡＤＦ部１２０と，帳票搬送路１３０と，認識処理ブロック１４０と，排出先制御部１５０と，ＯＣＲ認識結果処理部１６０と，排出先ポケット１７０を備えて構成されている。なお，本明細書および図面では，本実施の形態にかかるＯＣＲ認識処理装置に特徴的な構成要素についてのみ説明および図示するが，その他の構成要素，例えば，ユーザが操作するボタンなどの操作手段，装置全体を制御する制御手段，あるいは電源供給手段などが存在することは自明である。以下，各構成要素について詳細に説明する。
【００２２】
（帳票１１０）
図２は，帳票１１０の一例を示す説明図である。帳票１１０には，図２に示したように，ＯＣＲ認識処理装置１００によるＯＣＲ認識処理対象１１２と，帳票１１０の排出先を決定するための排出先決定情報１１４が印字されている。帳票１１０が例えばレセプト（診療報酬明細書）の場合，ＯＣＲ認識処理対象１１２には，診療報酬の集計のための「請求点」や，個人を識別する「記号番号」あるいは「生年月日」や，診療を始めた年月日を表す「診療開始日」や，病気やけがを表す「傷病名」などの情報が記載されている。また，排出先決定情報１１４には，保険者番号やレセプトの種別を表す情報などが記載されている。以下の説明において，ＯＣＲ認識処理対象１１２と排出先決定情報１１４とをあわせて，単に認識処理対象ともいう。図２に示した一例では，ＯＣＲ認識処理対象１１２の範囲が帳票１１０のほぼ全面となっており，排出先決定情報１１４が紙面下方に記載されているが，認識処理対象の範囲はこの例に限定されるものではなく，予め定められた特定箇所とすることができる。かかる認識処理対象の範囲などについては，予めＯＣＲ認識処理装置１００に設定されている。
【００２３】
（ＡＤＦ部１２０）
ＡＤＦ部１２０（ＡＤＦ：Auto Document Feeder，自動原稿送り）には１枚または２枚以上の帳票１１０がセットされる。帳票１１０をＡＤＦ部１２０にセットすることにより，帳票１１０をＯＣＲ認識処理装置１００に自動的に連続して読み込むことができる。
【００２４】
（帳票搬送路１３０）
図３は，ＯＣＲ認識処理装置１００内部の帳票搬送路１３０を水平方向から見た断面図である。帳票搬送路１３０には，図３に示したように，画像データを取得するためのＣＣＤ１３１が設けられている。図３において，帳票１１０ａの位置は，ＣＣＤ１３１を通過した直後の位置にあるタイミング，すなわち，帳票の画像データを取得し終わった直後の位置である。また，帳票１１０ｂの位置は，帳票がどの排出先ポケットへ向かうかの排出先分岐点１３２の直前位置である。
【００２５】
帳票搬送路１３０の長さおよび搬送速度について，次の（式１）が成り立つ。
帳票の排出先分岐点１３２に帳票が到達するまでの時間＞排出先決定処理に要する時間・・・（式１）
【００２６】
帳票搬送路１３０は，この（式１）を満たすように，長さおよび搬送速度が決定される。すなわち，帳票搬送路１３０の長さが決まっている場合には，搬送速度を調整することにより，（式１）を満たすようにすることができる。また，帳票搬送路１３０の設計段階において適切な搬送速度が分かっている場合には，帳票搬送路１３０の長さを，（式１）を満たす適切な長さに設計することができる。
【００２７】
（認識処理ブロック１４０）
図４は，ＯＣＲ認識処理装置１００内部の認識処理ブロック１４０の説明図である。認識処理ブロック１４０は，ＯＣＲ認識を行う認識処理部１４１（第１の認識処理部１４１−１〜第ｎの認識処理部１４１−ｎ）を含んで構成されている。各認識処理部１４１では，帳票１１０の認識処理を行い，排出先結果とＯＣＲ認識結果を得る。排出先結果は，図２に示した排出先決定情報１１４により得られる。ＯＣＲ認識結果は，図２に示したＯＣＲ認識処理対象１１４により得られる。帳票１１０をいずれの認識処理部１４１（第１の認識処理部１４１−１〜第ｎの認識処理部１４１−ｎ）で認識処理するかについては，後述する。
【００２８】
認識処理部１４１の数（ｎ）は，次の（式２）に基づいて決定される。
ｎ＝ＯＣＲ認識処理に要する時間÷排出先決定処理に要する時間＋１・・・（式２）
なお，（式２）の演算結果に整数未満の端数が出た場合には，整数に切り上げるものとする。
【００２９】
ＯＣＲ認識処理に要する時間や排出先決定に要する時間は，帳票１１０の種類によって決まる。すなわち，ＯＣＲ認識処理に要する時間は，主に図２に示したＯＣＲ認識処理対象１１４の範囲面積や情報量によって決まる。また，排出先決定に要する時間は，主に図２に示した排出先決定情報１１４の範囲面積や情報量によって決まる。従って，帳票１１０の種類に応じて，駆動させる認識処理部１４１の数（最小数）が決まる。
【００３０】
（排出先制御部１５０）
排出先制御部１５０は，認識処理ブロック１４０により得られた排出先結果に応じて，帳票１１０をいずれの排出先ポケット１７０に分類するかを制御する機能部である。排出先制御部１５０は，例えば，帳票搬送路１３０を搬送される帳票１１０を排出先ポケット１７０のいずれかに案内する案内手段を含んで構成することができる。
【００３１】
（ＯＣＲ認識結果処理部１６０）
ＯＣＲ認識結果処理部１６０は，認識処理ブロック１４０により得られたＯＣＲ認識結果を処理する機能部である。認識処理ブロック１４０により得られたＯＣＲ認識結果は文字情報であり，上述のように，診療報酬の集計のための「請求点」や，個人を識別する「記号番号」あるいは「生年月日」や，診療を始めた年月日を表す「診療開始日」や，病気やけがを表す「傷病名」などの情報である。ＯＣＲ認識結果処理部１６０は，例えば，これら文字情報を適切なフォーマットに変換したり，所定順序に並び替えたりする編集機能を有するように構成することができる。
【００３２】
（排出先ポケット１７０）
排出先ポケット１７０は，ＯＣＲ認識処理を終えた帳票１１０を分類するためのポケットである。図１に示した一例では，１番目から４番目の排出先ポケット１７１，１７２，１７３，１７４が設けられており，帳票１１０を４種類にまで分類することができる。帳票１１０の排出先ポケット１７０への分類（排出先決定）は，上述のように，帳票１１０の排出先決定情報１１４に基づいて，排出先制御部１５０により行われる。
【００３３】
本実施形態にかかるＯＣＲ認識処理装置１００は，以上のように構成されている。
次いで，本実施形態の動作について説明する。
【００３４】
図１において，帳票１１０が１枚ずつ，ＯＣＲ認識処理装置１００に読み込まれる。そして，図３に示したように，帳票搬送路１３０に設けられたＣＣＤ１３１において帳票の画像データとして取得される。
【００３５】
取得された画像データは，図４に示したように，認識処理ブロック１４０へ帳票単位で送られる。
【００３６】
各認識処理部１４１−１〜１４１−ｎでは，まず，画像データのうち図２に示した排出先決定情報１１４のみを認識処理し，その結果により帳票１１０の排出先となる排出先ポケット１７０を決定し，排出先結果として出力する。排出先結果は，図４に示したように，後段の排出先制御部１５０へ入力される。このように，あらかじめ設定されている画像データの一部分のみを使って排出先結果を決定することにより，排出先結果を得るための認識処理時間を大幅に短縮することが可能である。
【００３７】
排出先制御部１５０は，認識処理ブロック１４０からの排出先結果により，排出先ポケット１７１〜１７４の指定された排出先ポケットへ帳票１１０を排出するよう制御する。
【００３８】
さらに，画像データのうち図２に示したＯＣＲ認識処理対象を認識処理し，ＯＣＲ認識結果（診療報酬の集計のための「請求点」や，個人を識別する「記号番号」あるいは「生年月日」や，診療を始めた年月日を表す「診療開始日」や，病気やけがを表す「傷病名」などの情報）を取得する。
【００３９】
以上説明した排出先結果とＯＣＲ認識結果の取得タイミングについて，図５を参照しながら説明する。図５のタイミングチャートでは，一例として，認識処理部の数（ｎ）を５とし，８枚の帳票を処理する場合を示している。また，排出先決定に必要なＯＣＲ認識処理時間（図中の括弧書き数字）と，ＯＣＲ認識処理対象のすべてを処理する時間（図中の数字）との比を，およそ１：４とした場合を示している。これは，上述の（式２）を満たすものである。
【００４０】
まず，１枚目の帳票が読み込まれる。読み込まれた帳票は，図３に示したＣＣＤ１３１を通過する際，その画像データが取得される。取得される画像データは，第１の認識処理部１４１−１へ送られる。第１の認識処理部１４１−１では，排出先決定に必要な認識だけを行うために，あらかじめ設定されている画像データの一部分のみをＯＣＲ認識し，その結果によりどこへ排出するかを決定し，排出先結果として出力する。
【００４１】
排出先結果の出力後，ＯＣＲ認識処理対象を認識処理し，ＯＣＲ認識結果を取得する。この間，２枚目の帳票が読み込まれ，１枚目の帳票と同様に，ＣＣＤ１３１を通過し，その画像データが取得され始める。
【００４２】
その間，１枚目の帳票は搬送され続け，図３に示した帳票１１０ｂの位置まで搬送され，排出先分岐点１３２まで移動する。ここまでの時間で，第１の認識処理部１４１−１から１枚目の帳票の排出先結果が出力されることにより，帳票の搬送が一時停止することなく，決定された排出先ポケット１７０へ向かう搬送路へ分岐する。１枚目の帳票の排出先結果を出力した第１の認識処理部１４１−１では，その後１枚目の帳票の画像データすべてを使って，ＯＣＲ認識処理対象のすべてを処理し，ＯＣＲ認識結果が取得される。
【００４３】
２枚目以降の各帳票も，１枚目の帳票と同様に，第２の認識処理部１４１−２以降の各認識処理部で処理される。こうして順次，第２の認識処理部１４１−２以降，繰り返し処理が行われる。
【００４４】
６枚目の帳票の画像データが取得され始める前までに，１枚目のすべてのＯＣＲ認識処理が終わるようにすることで，６枚目の帳票の画像データは，第１の認識処理部１４１−１により１枚目同様に処理を行うことができる。
【００４５】
図５に示した一例では，本実施の形態にかかるＯＣＲ認識処理装置１００により８枚の帳票の処理がすべて終わるまでの処理時間と，従来技術により３枚の帳票の処理がすべて終わるまでの処理時間とがほぼ等しいことが分かる。
【００４６】
（第１の実施形態の効果）
以上説明したように，本実施形態によれば，ＯＣＲ認識処理対象が多い場合であっても，その間に，次に処理する帳票の排出先を決定することができる。このように，ＯＣＲ認識処理と排出先決定処理とを並行処理することにより，認識処理部の処理能力が低くても高速に処理することができる。このようにして，コストアップを抑制しつつ高速処理を実現可能なＯＣＲ認識処理装置を提供することができる。
【００４７】
また，認識処理対象が多い場合でも，認識処理部１４１を複数並列に段階的に処理させることで，排出先決定を高速に行うことができる。
【００４８】
（第２の実施形態）
本発明の第２の実施形態について説明する。なお，本実施形態の構成は，上記第１の実施形態の構成と実質的に同様であるため，重複説明を省略する。
【００４９】
本実施形態の動作について説明する。
【００５０】
図１において，帳票１１０が１枚ずつ，ＯＣＲ認識処理装置１００に読み込まれる。そして，図３に示したように，帳票搬送路１３０に設けられたＣＣＤ１３１において帳票の画像データとして取得される。
【００５１】
取得された画像データは，図４に示したように，認識処理部１４１−１〜１４１−ｎへ，帳票単位で送られる。本実施形態では，取得された画像データは，すべての認識処理部１４１−１〜１４１−ｎへ送られる。
【００５２】
各認識処理部１４１−１〜１４１−ｎでは，送られた画像データをＯＣＲ認識する際，あらかじめ設定されている範囲の画像データ使ってＯＣＲ認識処理する。ここで，各認識処理部１４１−１〜１４１−ｎがＯＣＲ認識処理を行う範囲は，認識処理部間で互いに重複しない範囲であって，全体として排出先決定情報１１４を認識可能な範囲である。例えば，図２に示した排出先決定情報１１４をｎの領域に分割（例えばｎ等分）して，各領域を各認識処理部がＯＣＲ認識処理することが可能である。そして，ＯＣＲ認識処理の結果により帳票１１０の排出先となる排出先ポケット１７０を決定し，排出先結果として出力する。排出先結果は，図４に示したように，後段の排出先制御部１５０へ入力される。
【００５３】
排出先制御部１５０はこの排出先結果により，排出先ポケット１７１〜１７４のいずれかに帳票１１０を排出するよう制御する。
【００５４】
以上説明した排出先結果とＯＣＲ認識結果の取得タイミングについて，図６を参照しながら説明する。
【００５５】
まず，１枚目の帳票が読み込まれる。読み込まれた帳票は，図３に示したＣＣＤ１３１を通過する際，その画像データが取得される。本実施形態では，取得される画像データは，すべての認識処理部１４１（第１の認識処理部１４１−１〜第ｎの認識処理部１４１−ｎ）へ送られる。
【００５６】
帳票が図３に示した符号１１０ｂの位置まで搬送されると，その帳票の画像データすべてが認識処理部１４１（第１の認識処理部１４１−１〜第ｎの認識処理部１４１−ｎ）へ送られる。図６に示した一例では，帳票の排出先決定情報が５つの領域（Ａ，Ｂ，Ｃ，Ｄ，Ｅ）に分割されており，第１の認識処理部１４１−１が領域ＡをＯＣＲ認識し，第２の認識処理部１４１−２が領域ＢをＯＣＲ認識し，第３の認識処理部１４１−３が領域ＣをＯＣＲ認識し，第４の認識処理部１４１−４が領域ＤをＯＣＲ認識し，第５の認識処理部１４１−５が領域ＥをＯＣＲ認識する場合について示している。
【００５７】
各認識処理部１４１−１〜１４１−ｎでは，上記のようにあらかじめ設定されている画像データの一部分のみをＯＣＲ認識し，その結果を排出先結果として出力する。このようにして，各認識処理部で処理する範囲が狭くて済むため，個々の処理自体は短時間で完了する。帳票が図３に示した符号１１０ｂの位置まで搬送される前にすべての処理を終わらせることができるので，帳票の搬送を一時停止することなく認識結果から得られた排出先へ搬送することができる。
【００５８】
２枚目の帳票が読み込まれるまでに，これらの処理を完了することによりすべての帳票に対して同様の処理が行われる。
【００５９】
なお，各認識処理部での処理結果を統合する処理が必要となるが，統合するデータはＯＣＲ認識処理結果，すなわち文字情報（テキストデータ）であるため，データ量は少ない。このため，統合処理時間は無視できるものである。
【００６０】
図６に示した一例では，本実施の形態にかかるＯＣＲ認識処理装置１００により４枚の帳票の処理がすべて終わるまでの処理時間と，従来技術により１枚の帳票の処理がすべて終わるまでの処理時間とがほぼ等しいことが分かる。
【００６１】
（第２の実施形態の効果）
以上説明したように，本実施形態によれば，ＯＣＲ認識する範囲を各認識処理部１４１−１〜１４１−ｎで分割して処理するため，１つの認識処理部１４１−１〜１４１−ｎで処理する範囲が狭くなるため，各認識処理部１４１−１〜１４１−ｎは短い時間で処理を終わらせることができる。
【００６２】
以上，添付図面を参照しながら本発明にかかるＯＣＲ認識処理装置の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【産業上の利用可能性】
【００６３】
本発明は，帳票の文字認識処理（Ｏｐｔｉｃａｌ  Ｃｈａｒａｃｔｅｒ  Ｒｅａｄｉｎｇ：ＯＣＲ）を行うＯＣＲ認識処理装置に利用可能であり，特に，帳票の特定箇所（認識処理対象）を認識処理して帳票の排出先を決定する排出先決定処理に特徴を有するＯＣＲ認識処理装置に利用可能である。
【図面の簡単な説明】
【００６４】
【図１】ＯＣＲ認識処理装置の説明図である。
【図２】帳票の説明図である。
【図３】帳票搬送路の説明図である。
【図４】帳票認識処理ブロックの説明図である。
【図５】第１の実施形態の帳票認識処理のタイミングを示す説明図である。
【図６】第２の実施形態の帳票認識処理のタイミングを示す説明図である。
【符号の説明】
【００６５】
１００  ＯＣＲ認識処理装置
１１０  帳票
１２０  ＡＤＦ部
１３０  帳票搬送路
１３１  ＣＣＤ
１３２  排出先分岐点
１４０  認識処理ブロック
１４１（１４１−１，１４１−２，・・・，１４１−ｎ）  認識処理部
１５０  排出先制御部
１６０  ＯＣＲ認識結果処理部
１７０（１７１，１７２，１７３，１７４）  排出先ポケット
【図１】
2006113686.tif 000003
【図２】
2006113686.tif 000004
【図３】
2006113686.tif 000005
【図４】
2006113686.tif 000006
【図５】
2006113686.tif 000007
【図６】
2006113686.tif 000008